(57)【特許請求の範囲】
【請求項１】
ハウジングと、
アプリケータチップと、ユーザの皮膚表面領域に周期的機械的力を印加するために前記アプリケータチップを所定の運動で駆動するように構成されたモータとを含むアプリケータアセンブリであって、
前記アプリケータアセンブリは、前記ユーザの皮膚表面領域に肌用調剤を送達するように構成され、
前記所定の運動は皮膚領域の表面に実質的に垂直及び平行な運動の振幅を有し、
皮膚と接触する前記アプリケータチップの表面積の量が、前記アプリケータチップの各運動サイクルの間、前記アプリケータチップの前記皮膚表面と平行な方向の運動の量と共に増加する、アプリケータアセンブリと、
複数の電磁エネルギー源を含む電磁エネルギーアセンブリであって、前記複数の電磁エネルギー源が前記アプリケータチップを含む領域の周囲に沿って配置されるように前記複数の電磁エネルギー源が前記アプリケータチップを囲み、前記複数の電磁エネルギー源が、前記ユーザの皮膚表面領域内の一または複数の皮層に浸透するために十分な性質及び継続時間を有する電磁エネルギー刺激のパルスを送達するように構成された、電磁エネルギーアセンブリとを備えた装置であって、
前記アプリケータチップによって前記皮膚表面領域に送達された前記肌用調剤は、前記パルスの電磁エネルギー刺激と相互作用するように構成され、
少なくとも一つの電磁エネルギー源が前記アプリケータチップの外縁に隣接しかつその外側の前記ハウジングに固定され、
前記複数の電磁エネルギー源が前記アプリケータチップの前記所定の運動を受けることなく前記ハウジングに固定される装置。
【発明の詳細な説明】
【背景技術】
【０００１】
分野
［０００１］本明細書の開示内容は概して、典型的には肌領域に対し、音波周波数範囲で作用する肌用調剤を、同肌領域に対する電磁波放射と組み合わせて適用することを含む、スキンケアのための装置と方法に関する。
【発明の概要】
【０００２】
［０００２］一実施形態により、ユーザの肌表面領域に周期的機械力を印加し、ユーザの肌表面領域に肌用調剤を送達するように構成されたアプリケータチップを含むアプリケータアセンブリを含む装置が提供される。一実施形態では、周期的機械力は法線成分を含む。一実施形態では、周期的機械力はせん断成分を含む。一実施形態では、周期的機械力は法線成分とせん断成分を含む。一実施形態では、アプリケータチップは、法線応力とせん断応力とを肌の一領域に印加するように構成される。
【０００３】
［０００３］装置は更に、アプリケータアセンブリに隣接する又はアプリケータアセンブリ内部の少なくとも一の電磁エネルギー源を含み、ユーザの肌の表面領域内の一又は複数の皮層に浸透するために十分な性質及び継続時間を有する電磁エネルギー刺激のパルスを送達するように構成された電磁エネルギーアセンブリを含む。一実施形態では、組織内の電磁エネルギーの浸透深さに影響を及ぼす要因には、波長、周波数、強度、継続時間などが含まれる。
【０００４】
［０００４］電磁エネルギー源の非限定的な例には、電磁エネルギーエミッタ、ファイバレーザ、レーザダイオード、レーザ、発光ダイオード、マイクロキャビティ発光ダイオード、有機発光ダイオード、高分子発光ダイオード、量子ドット、超高速レーザなどが含まれる。
【０００５】
［０００５］一実施形態によれば、少なくとも一の電磁エネルギー源は、アプリケータアセンブリの外縁に隣接している。
【０００６】
［０００６］一実施形態によれば、少なくとも一の電磁エネルギー源は、複数の発光ダイオードを備え、少なくとも、約５９０ナノメートルのピーク放射波長を有する第１の連続的電磁エネルギー刺激と、約８５０ナノメートルから約８７０ナノメートルの範囲のピーク放射波長を有する第２の連続的電磁エネルギー刺激とを、同時に又は連続して生成するように構成される。
【０００７】
［０００７］一実施形態によれば、少なくとも一の電磁エネルギー源は、狭帯域多色放射を介して単一の支配的放射波長を生成するように構成される。
【０００８】
［０００８］一実施形態によれば、単一の支配的放射波長は約５９０ナノメートルである。
【０００９】
［０００９］一実施形態によれば、少なくとも一の電磁エネルギー源には、少なくとも一の発光ダイオード（ＬＥＤ）が含まれる。
【００１０】
［００１０］一実施形態によれば、少なくとも一の発光ダイオード（ＬＥＤ）には、約５９０ナノメートルの支配的放射波長で発光する第１のＬＥＤと、約８５０〜８７０ナノメートルで発光する第２のＬＥＤが含まれる。
【００１１】
［００１１］一実施形態によれば、第１の発光ダイオード（ＬＥＤ）は黄色の可視光を発し、第２のＬＥＤは赤外光を放射する。
【００１２】
［００１２］一実施形態によれば、第１のＬＥＤ：第２のＬＥＤの電力放射の比は４：１である。
【００１３】
［００１３］一実施形態によれば、第１の発光ダイオード（ＬＥＤ）は、１平方センチメートル当たり約２ミリワット（ｍＷ／ｃｍ２）で発光し、第２のＬＥＤは約０．５ｍＷ／ｃｍ２で発光する。
【００１４】
［００１４］一実施形態によれば、肌表面領域において受け取られる電磁エネルギーアセンブリのエネルギーフルエンスは約４Ｊ／ｃｍ２未満である。
【００１５】
［００１５］一実施形態によれば、電磁エネルギーアセンブリは更に、電磁エネルギーアセンブリから肌の上に放射された光を拡散させて照射を広げるように構成された拡散レンズを含む。
【００１６】
［００１６］一実施形態によれば、少なくとも一の電磁エネルギー源は、アプリケータアセンブリを囲む複数の電磁エネルギー源を含む。
【００１７】
［００１７］一実施形態によれば、少なくとも一の電磁エネルギー源は、アプリケータアセンブリ内部に含まれる。
【００１８】
［００１８］一実施形態によれば、少なくとも一の電磁エネルギー源は、ユーザの肌表面領域に約３Ｈｚの周波数で光のパルスを放射する。
【００１９】
［００１９］一実施形態によれば、ユーザの肌表面領域に圧縮力を生じさせ、肌用調剤の浸透性に影響を及ぼすために十分な性質及び継続時間を有する周期的機械力をユーザの肌表面領域に印加することを含む、スキンケア装置により実施されるスキンケア方法が提供される。方法は更に、ユーザの肌表面領域を、ユーザの肌表面領域内の一又は複数の皮層に浸透するために十分な性質及び継続時間を有する電磁エネルギー刺激のパルスを用いて照射することを含む。
【００２０】
［００２０］一実施形態によれば、ユーザの肌表面領域に圧縮力及びせん断力を生じさせ、肌用調剤の浸透性に影響を及ぼすために十分な性質及び継続時間を有する周期的機械力をユーザの肌表面領域に印加することを含む、スキンケア装置により実施されるスキンケア方法が提供される。
【００２１】
［００２１］一実施形態によれば、ユーザの肌表面領域に圧縮力を生じさせ、肌用調剤の浸透性に影響を及ぼすために十分な性質及び継続時間を有する周期的機械力をユーザの肌表面領域に印加することを含むスキンケア方法は、肌表面領域に実質的に垂直な振動力を印加することを含む。
【００２２】
［００２２］一実施形態によれば、ユーザの肌表面領域に圧縮力を生じさせ、肌用調剤の浸透性に影響を及ぼすために十分な性質及び継続時間を有する周期的機械力をユーザの肌表面領域に印加することを含む方法は、肌の表面に垂直な運動の振幅が約０．０１インチから約０．０７５インチの範囲である垂直な機械力を印加することを含む。
【００２３】
［００２３］一実施形態によれば、ユーザの肌表面領域を、ユーザの肌表面領域内の少なくとも一の又は複数の皮層に浸透するために十分な性質及び継続時間を有する電磁エネルギー刺激のパルスを用いて照射することを含む方法は、少なくとも、約５９０ナノメートルのピーク放射波長を有する第１のパルス電磁エネルギー刺激と、約８５０ナノメートルから約８７０ナノメートルの範囲のピーク放射波長を有する第２のパルス電磁エネルギー刺激を、同時に又は連続して放射することを含む。
【００２４】
［００２４］一実施形態によれば、ユーザの肌表面領域を、ユーザの肌表面領域内の少なくとも一の又は複数の皮層に浸透するために十分な性質及び継続時間を有する電磁エネルギー刺激のパルスを用いて照射することを含む方法は、少なくとも、１平方センチメートル当たり約２ミリワット（ｍＷ／ｃｍ２）のピーク放射照度を有する第１の連続的電磁照射刺激と、約０．５ｍＷ／ｃｍ２のピーク放射照度を有する第２の連続的電磁照射刺激とを、同時に又は連続して放射することを含む。
【００２５】
［００２５］一実施形態によれば、電磁エネルギーアセンブリは、ユーザの肌表面領域内の一又は複数の皮層に浸透するために十分な性質及び継続時間を有する連続的電磁エネルギー刺激を送達し、肌の部分内の一又は複数の表皮関連タンパク質、真皮表皮接合部関連タンパク質、又は真皮関連タンパク質の上方制御に影響を及ぼすように構成された、アプリケータアセンブリに隣接する又はアプリケータアセンブリ内部の少なくとも一の電磁エネルギー源を含む。
【００２６】
［００２６］一実施形態によれば、電磁エネルギーアセンブリは、ユーザの肌表面領域内の一又は複数の皮層に浸透するために十分な性質及び継続時間を有する連続的電磁エネルギー刺激を送達し、フィラグリン；トランスグルタミナーゼ１（ＴＧＫ１）；糖タンパク質（ＣＤ４４）；ケラチン１０（Ｋ１０）；ケラチン１４（Ｋ１４）；テネイシンＣ；Ｇ−アクチン（ＡｃｔｉｎＧ）；原繊維アクチン（ＡｃｔｉｎＦ）；及びシンデカン１からなる群より選択される一又は複数の表皮タンパク質の上方制御に影響を及ぼすように構成された、アプリケータアセンブリに隣接する又はアプリケータアセンブリ内部の少なくとも一の電磁エネルギー源を含む。
【００２７】
［００２７］一実施形態によれば、電磁エネルギーアセンブリは、ユーザの肌表面領域内の一又は複数の皮層に浸透するために十分な性質及び継続時間を有する連続的電磁エネルギー刺激を送達し、コラーゲン４（Ｃｏｌｌ  ４）；コラーゲン７（Ｃｏｌｌ  ７）；ラミニンＶ；及びペルレカンからなる群より選択される一又は複数の真皮表皮接合部タンパク質の上方制御に影響を及ぼすように構成された、アプリケータアセンブリに隣接する又はアプリケータアセンブリ内部の少なくとも一の電磁エネルギー源を含む。
【００２８】
［００２８］一実施形態によれば、電磁エネルギーアセンブリは、ユーザの肌表面領域内の一又は複数の皮層に浸透するために十分な性質及び継続時間を有する連続的電磁エネルギー刺激を送達し、ヒアルロナンシンターゼ３（ＨＡＳ３）；フィブロネクチン；トロポエラスチン；ｐｒｏｃｏｌｌ１；インテグリン；及びデコリンからなる群より選択される一又は複数の真皮タンパク質の上方制御に影響を及ぼすように構成された、アプリケータアセンブリに隣接する又はアプリケータアセンブリ内部の少なくとも一の電磁エネルギー源を含む。
【図面の簡単な説明】
【００２９】
［００２９］本開示とそれに伴う利点の多くの更に完全な理解は、添付図面と関連させて考慮しながら以下の詳細な説明を参照することで深まることにより、容易に得られるであろう。
【図１】［００３０］一実施形態によるアプリケータ装置を示している。
【図２】［００３１］Ａ、Ｂ、Ｃ、及びＤは、アプリケータ装置のアプリケータチップの連続する所望の動きを示している。
【図３】［００３２］アプリケータ装置内部に含まれるすべての動作部品を示す断面図である。
【図４】［００３３］アプリケータ装置のモータ及びそれに関連するコンポーネントの第１の図である。
【図５】［００３４］アプリケータ装置のモータ及びそれに関連するコンポーネントの第２の図である。
【図６】［００３５］アプリケータ装置のモータ及びそれに関連するコンポーネントの第３の図である。
【図７】［００３６］Ａ、Ｂ、Ｃ、及びＤは、アプリケータ装置のハウジング中に点灯ユニットを取り付ける方法を示している。
【図８】［００３７］ＬＥＤアセンブリと共に使用されるハードウエアコンポーネントのブロック図を示している。
【図９】［００３８］Ａ及びＢは、ＬＥＤアセンブリに含まれる個々の点灯ユニットの詳細を示す。
【図１０】［００３９］拡散レンズを含むアプリケータ装置の一実施形態を示す。
【図１１】［００４０］ユーザの肌の表面において受け取られた光のパルスの周波数を示す。
【図１２】［００４１］Ａ及びＢは、複数の光アセンブリがアプリケータチップを囲む一実施形態を示す。
【図１３】［００４２］Ａ及びＢは、光アセンブリがアプリケータチップ内部に含まれる一実施形態を示す。
【図１４】［００４３］アプリケータ装置によって実施される方法の一実施形態を示す。
【００３０】
［００４４］複数の図面にわたって同一の又は対応する部品は同様の参照番号によって示されている。
【発明を実施するための形態】
【００３１】
［００４５］肌用調剤を、典型的には肌領域に適用するための、音波周波数領域で動作する電気機器は、肌用調剤の有意な吸収を生じさせて肌の見た目を改善するために有効であり、またアプリケータと肌との物理的な接触に関して快適である。このような機器は、本出願人の所有する米国特許第８４６９９０９号に記載があり、その内容が参照により包含される。
【００３２】
［００４６］光線療法は、狭帯域光を用いる肌状態のケアに使用することができる。多くのこのような光線療法デバイスは極めて大きく、静止した状態で顔全体を照射するために使用される。
【００３３】
［００４７］しかしながら、肌用調剤の音波的適用の利点と光線療法の利点とを効果的に組み合わせて、便利且つ安価で使用が簡単な単一の家庭用小型機器にするデバイスは現在のところ存在しない。
【００３４】
［００４８］図１は、例えば、同時に又は連続して垂直な周期的機械力及び複数の電磁刺激をユーザの一肌領域に提供するなど、一又は複数の方法又は技術を実施できるアプリケータ機器を示している。一実施形態では、アプリケータ機器は、キャップ部分（図示しない）と分離されている本体部分１２を示す。本体部分１２の上面１８からは、ユーザの肌に接触するアプリケータチップ２０が延びている。一実施形態では、アプリケータチップ２０は一又は複数のエラストマー材料を含む。一実施形態では、アプリケータチップ２０は一又は複数の高分子材料を含む。一実施形態では、アプリケータチップ２０はシリコーンから形成される。一実施形態では、アプリケータチップ２０は、ショア００−３０硬度を有する超軟質シリコーンから形成される。アプリケータチップ材料の更なる非限定的例には、エチレンプロピレンジエンゴム、フルオロシリコーン、耐薬品性材料などが含まれる。
【００３５】
［００４９］一実施形態では、アプリケータチップ２０は、少なくとも一の電磁エネルギーエミッタに動作可能に連結された一又は複数の導波管を含む。一実施形態では、アプリケータチップ２０は、一又は複数の、透明な、半透明の、又は光を透過する材料を含む。
【００３６】
［００５０］透明な、半透明の、又は光を透過する材料の中で、例として、光波の透過又は伝播に低い光減衰率を提供する材料が挙げられる。一実施形態では、アプリケータチップ２０は、一又は複数の光学的に透明な材料、半透明な材料、プラスチック、熱可塑性プラスチック、ポリマー、樹脂、熱可塑性樹脂などを含む。一実施形態では、アプリケータチップ２０は、アセタールコポリマー、アクリル、ガラス、ＡｇＢｒ、ＡｇＣｌ、Ａｌ２Ｏ３、ＧｅＡｓＳｅガラス、ＢａＦ２、ＣａＦ２、ＣｄＴｅ、ＡｓＳｅＴｅガラス、ＣｓＩ、ダイヤモンド、ＧａＡｓ、Ｇｅ、ＩＴＲＡＮ材料、ＫＢｒ、臭化タリウム−ヨウ化物、ＬｉＦ、ＭｇＦ２、ＮａＣｌ、ポリエチレン、Ｐｙｒｅｘ、Ｓｉ、ＳｉＯ２、ＺｎＳ、ＺｎＳｅ、熱可塑性ポリマー、熱硬化性ポリマーなどのうちの一又は複数を含む。
【００３７】
［００５１］光学的に透明な、半透明の、又は光を透過する材料の更なる非限定的な例には、アクリロニトリルブタデインスチレンポリマー（ａｃｒｙｌｏｎｉｔｒｉｌｅ  ｂｕｔａｄａｉｎｅ  ｓｔｙｒｅｎｅ  ｐｏｌｙｍｅｒｓ）、セルロース系、エポキシ、エチレンブチルアクリレート、エチレンテトラフルオロエチレン、エチレンビニルアルコール、フッ素化エチレンプロピレン、フラン、ナイロン、フェノール類、ポリ［２，２，４−トリフルオロ−５−トリフルオロメトキシ−１，３−ジオキソール−ｃｏ−テトラフルオロエチレン］、ポリ［２，２−ビストリフルオロメチル−４，５−ジフルオロ−１，３−ジオキソール−ｃｏ−テトラフルオロエトイレン］、ポリ［２，３−（ペルフルオロアルケニル）ペルフルオロテトラヒドロフラン］、ポリアクリロニトリルブタジエンスチレン、ポリベンズイミダゾール、ポリカーボネート、ポリエステル、ポリエーテルエーテルケトン、ポリエーテルイミド、ポリエーテルスルホン、ポリエチレン、ポリイミド、ポリメチルメタクリレート、ポリノルボルネン、ポリペルフルオロアルコキシエチレン、ポリスチレン、ポリスルホン、ポリウレタン、ポリ塩化ビニル、ポリビニリデンフルオリド、ジアリルフタレート、熱可塑性エラストマー、透明なポリマー、ビニルエステルなどのうちの一又は複数が含まれる。
【００３８】
［００５２］一実施形態では、アプリケータチップ２０は、ユーザの肌表面領域内の一又は複数の皮層に浸透するために十分な性質及び継続時間を有する連続的電磁エネルギー刺激を送達するように構成される。例えば、一実施形態では、アプリケータチップ２０は、光学的に透明な、半透明の、又は光を透過する材料を含み、一又は複数の電磁エネルギーエミッタに動作可能に連結され、且つユーザの肌表面領域内の一又は複数の皮層に浸透するために十分な性質及び継続時間を有する連続的電磁エネルギー刺激を生成するように構成される。一実施形態では、組織内の電磁エネルギーの浸透深さに影響を及ぼす要因には、波長、周波数、強度などが含まれる。
【００３９】
［００５３］図示の一実施形態では、アプリケータチップ２０は、その前端に凹型部分２２を含む。凹型部分は、機器の動作の間にユーザの顔の肌領域に適用される、選択された量の肌用調剤を一時的に保持する。上面１８にはＬＥＤ光アセンブリ１００が含まれており、その取付けについては詳細に後述する。機器は、オンオフスイッチ（図示しない）により制御される。
【００４０】
［００５４］機器の有効な動作、具体的には、アプリケータチップとユーザの肌との快適な接触により肌用調剤の有効な吸収を生成するその動作のために、アプリケータチップ２０の複雑な運動が重要であることが見出された。アプリケータチップの運動の第１の成分は肌の表面に垂直であり、運動の第２の成分は肌の表面に平行であり、第３の成分は円弧状で、アプリケータチップと肌との接触を次第に増加させる。
【００４１】
［００５５］図２は、一連のこのような所望の運動を示している。時間ｔ０（図２Ａ）において、アプリケータチップ２０と肌領域２１との最初の接触が示されている。アプリケータチップ２０の内側エッジ２０Ａが肌２１の表面と接触する。肌の表面と垂直に、力が下方に印加され始め、肌に対して初期量の圧縮力が生成される。初期引張応力も肌２１に対して生成される。時間ｔ１（図２Ｂ）では、図示のように、アプリケータチップ  ２０は時計回りに回転しながら肌に垂直に肌に向かって移動し、引き続き肌を圧縮する。加えて、アプリケータチップは、肌２１の表面に平行に、左へと移動する。このような平行な運動成分は、十分であるが比較的小さな引張応力を肌に生成し、これが、圧縮力と合成されたとき、肌を痛めることなく又は不快感を生じさせることなく、肌用調剤の吸収を改善するうえで重要であることが見出された。
【００４２】
［００５６］アプリケータチップの運動は時間ｔ２（図２Ｃ）で変化し、また時間ｔ３（図２Ｄ）で再び変化し、この時点でアプリケータチップの接触表面は肌２１の表面と基本的に平行となってアプリケータチップの接触表面全体が肌と接触し、肌に垂直な圧縮力と肌の表面に平行な引張応力の両方が最大値に達する。アプリケータチップは、図２Ｄに示すように、その接触表面全体に沿って肌に圧縮力を生成する。次いで、アプリケータチップの運動はモータの作用により逆転され、アプリケータチップは初期位置に戻る。次いで、選択された頻度でシーケンス２Ａ〜２Ｄが繰り返される。
【００４３】
［００５７］アプリケータチップの運動の円弧状成分により肌の表面との接触を次第に増大させることが、ユーザにおける快適な接触、即ち感覚を維持するうえで重要であることが見出された。上述の運動は、複雑であるが、肌用調剤の有効な吸収を生成すること、並びにユーザにとって接触の満足のゆく快適レベルを維持することの二重の利点を有し、したがって平均的なユーザはアプリケータを使用し続けるであろう。複雑な運動は、アプリケータチップの前面の凹型形状と組み合わされて、凹型部分内に存在する肌用調剤の量が、ユーザの肌上の適用領域からすぐにずれてしまうことを防ぐ。
【００４４】
［００５８］図３は、アプリケータ本体１２内部に含まれるすべての動作部品を示す断面図である。機器本体１２は、概して参照番号３０で示すモータ（以下に詳細に記載する）、及び電源（図示の実施形態では再充電可能なバッテリ３２であるが、一次電池又は外部電源といった他の電源でもよい）を含む。モータへの制御信号、並びに他の動作制御機能、例えばオンオフスイッチ２４の状態の感知、単一アプリケーション使用の継続時間の制御、及びバッテリ充電状態の監視は、マイクロプロセッサ３４によって提供される。マイクロプロセッサ３４は、そのような機器の構造及び動作において常套的である。上記部品のすべては、機器の本体１２のハウジング部分１６内部に含まれる。
図４〜６は、機器のモータ３０を更に詳細に示す。モータは、硬い材料（図示の実施形態では硬質プラスチック）から作製されるアンカー部材３６を含む。図示の実施形態のアンカー部材は、それぞれハウジング部分１６の部品である対応するリブ要素４４及び４６に確実に嵌合する（図３）、互いに直角をなす二のスロット４０及び４２を含む。したがって、アンカー部材３６は、ハウジング内の所定の位置に固定され、モータの動作中に自由に動くことはない。
【００４５】
［００５９］モータ３０は、金属のバックアイアン５１上に間隔を空けて装着された二の永久磁石５０及び５２を含むアーマチュアアセンブリ４８も含む（図３、６）。図示の一実施形態では、永久磁石は、約０．１８インチの間隔を空けて配置されているが、これは変更可能である。更に、図示の一実施形態では、永久磁石は０．１５平方インチ×厚さ０．１インチであるが、これら寸法も変更可能である。
【００４６】
［００６０］アーマチュア部材４８の一端５３は、取り外し可能なアプリケータチップアセンブリ５６であり、その前端にはアプリケータチップ２０が配置される。アプリケータチップ２０は、本出願人による同時係属米国特許出願第１２／４７４４２６号に更に詳細な記載があり、その内容は参照により本明細書に包含される。アプリケータチップは、肌用調剤を保持する凹型の前面を有し、極めて軟質の材料から作製されており、ショアスケールＯＯデュロメータ３０である。材料の柔軟性は、人の肌と同じ程度であり、したがって運動と力を効率的に伝達する。
【００４７】
［００６１］アンカー部材３６とアーマチュア４８の間には、電磁固定子アセンブリ６０が配置される。電磁固定子アセンブリ６０は、従来の電磁石６１及びＥコア積層スタック６２を含み、その外側脚部は、図示の実施形態では、それぞれ０．２５７インチ及び０．２６７インチだけ中央脚部から分離されている。固定子の極が三の脚部の終端である。固定子アセンブリは、やはりハウジング部分１６の部品である二の対向するリブ６４及び６６に装着される。したがって、モータの運転中、固定子アセンブリ６０も所定の位置に固定された状態を維持する。
【００４８】
［００６２］モータは更に、アンカー部材３６と、反対側のアーマチュア４８の延長端部分５３及び５５との間に延びてそれらを接続する二の板ばね６８及び７０を含む。
【００４９】
［００６３］アーマチュア４８の延長端部分は、互いに直角である。図示の一実施形態では、板ばねは、約０．２インチ幅且つ０．０１２インチ厚であり、ステンレス鋼から作製されている。板ばね６８及び７０も、互いに概ね直角である。板ばね６８及び７０は、異なる自由長を有する。板ばねの自由長の比は、肌用調剤の効果的且つ快適な適用を生むためのアプリケータチップの所望の多成分運動を達成するために重要である。ばね７０の長さ：ばね６８の長さの比は、０．７５：１から０．９５：１の範囲内である。一実施形態では、自由長の比は、０．７９：１から０．８３：１の範囲内である。機器が肌に対して適切に配向されるとき、板ばね６８は肌と概ね垂直であり、板ばね７０は肌に概ね平行である。このような板ばねの構成が、肌用調剤の有効な吸収とユーザに対する快適性の所望の組み合わせを生む。
【００５０】
［００６４］動作時、オンオフスイッチ２４の作動に続いて、マイクロプロセッサ３４から交流電気信号が電磁固定子アセンブリ６０に提供される。交流信号の半周期の間に、電磁石の二の外側の極は永久磁石の一方を引き付け、他方の永久磁石をはじく。また中央の極は、一方の永久磁石をはじき、他方を引き付ける。結果として生じた力が、固定子アセンブリ６０に対して、アプリケータチップを含むアーマチュア４８を、反時計回りのやや円弧状の複雑な運動で肌に向かって動かす（図５参照）。上述のように且つ図２Ａ〜２Ｄに示すように、この運動は、垂直運動の成分、平行運動の成分、及び小さな円弧状運動の成分を含む。残りの半周期において、電流の方向が反転し、アーマチュアは、固定子に対して時計回りにチップアプリケータを肌から遠ざけることにより応答する。
【００５１】
［００６５］作用の周波数は、典型的には５０〜２００Ｈｚ内である。一実施形態では、作用の周波数は、約１１０Ｈｚから約１３５Ｈｚにわたる。肌の表面に垂直な運動の周波数の範囲は、０．０１インチから０．０７５インチの範囲内である。一実施形態では、肌の表面に垂直な運動の周波数の範囲は、約０．０２インチから約０．０３５インチにわたる。肌の表面に平行な運動の範囲は、０．００５インチから０．０７インチの範囲内である。一実施形態では、肌の表面に平行な運動の範囲は、約０．０１３インチから約０．０３２インチにわたる。このような寸法から生じる円弧状の運動は、比較的小さく、０．５°〜３°の範囲内の弧を描く。一実施形態では、このような寸法から生じる円弧状運動は約２°であるが、この値は、使用される実際の寸法に応じて変化しうる。
【００５２】
［００６６］動作時、板ばね６８及び７０は、アーマチュアが休止しているときにはアーマチュアをセンタリングするように、及び移動するアーマチュアとアプリケータチップアセンブリの質量と組み合わされるときには機械的共鳴システムを生成するように、それぞれ作用する。電流が、システム全体の機械共鳴とほぼ等しい周波数で方向を交互に換えるとき、アーマチュア構造の運動の振幅は有意に増大し、これにより、電力入力に関して所望の高い効率で、有効な作用のために必要な運動が生成される。したがって、機器は、肌用調剤の迅速且つ有効な吸収を生成するうえで有効であるだけでなく、動作させるのに実際的な機器である。
【００５３】
［００６７］一実施形態では、上記構造は、単一の支配的放射波長、即ち、狭帯域の多色放射か、又は複数波長（単色、狭帯域多色、広帯域多色、若しくはこれらの組み合わせ）を生成する、単一又は複数の光源を更に含む。単一又は複数の組み合わせは、同時に又は連続して適用可能である。
【００５４】
［００６８］本発明の好ましい実施形態は、ＬＥＤ、超音波及び／又はレーザ若しくは光エネルギーを使用できるが、本発明は、これらエネルギー源の使用に限定されない。（限定しないが）マイクロ波エネルギー及び無線周波数エネルギーを含む他のエネルギー源も使用できる。既知の光源の例は、蛍光灯、閃光ランプ、フィラメント光などである。当業者であれば、本明細書に記載されるように、直接、又は光学濾過により、医学的に有用な波長で電磁放射を発することのできる任意の光源が本発明による適切な光源の範囲内であることを認識するであろう。記載される光変調的及び光熱的ケア方法のために、約３００ｎｍから約１４００ｎｍの波長を有する光を放射することのできる、又は肌、局所用組成物、又は本ケアレジームのその他の成分を前述の範囲の光の波長に曝すために濾過又はそれ以外の方法で変調される電磁放射を生成することのできる任意の光源が、医学的に有用である。
【００５５】
［００６９］標的となる肌は、ＬＥＤ、レーザ、又は濾過されたフィラメント光源又は蛍光源又は超音波の単一若しくは複数の周波数といった非レーザ光の一又は複数の波長に曝される。薬剤又は組織複合体と相互作用するために十分な累積エネルギーを送達するために、様々なパラメータ（パルス継続時間、エネルギー、単一又は複数のパルス、パルス間の間隔、パルスの総数など）が使用されうる。この結果、光変調手段、光熱手段、又はこれらの組み合わせにより、肌組織が支持される、又は皮脂性油胞が抑制又は破壊される。一実施形態では、これらデバイスは、自宅でのケアのために、又は医師によるケアを受けた後に進行するスキンケアシステムの一部として、患者により使用されうる。
【００５６】
［００７０］波長：各標的細胞又は細胞分画物、又はその中の分子結合は、少なくとも一の固有で特徴的な、そこで特定の電磁又は光吸収ピーク又は最高限度を呈する「作用スペクトル」を有する傾向がある。異なる細胞系（同じ細胞−例えば３の異なる患者由来の繊維芽細胞の）は、それらの吸収スペクトルにいくつかの差異を呈するので、狭帯域多色光の使用は（単色光よりも）、最適な臨床効果を生じさせるうえでも有用である。これら細胞又は細胞分画物が、吸収ピーク又は最大限度に対応する波長で照射されると、エネルギーが光子から伝達されて標的によって吸収される。送達されるエネルギーの特定のフィーチャが細胞効果を決定する。パラメータのこれら組み合わせの複雑性は、従来技術において大きな混乱を生じてきた。基本的に、波長は、標的細胞又は細胞分画物又は組織、又は外因性発色団とほぼ相関しているはずである。場合によっては、同じ又は複数の異なるケア日に、同時に又は連続して、複数の最大限度を標的化することが望ましい。複数の最大限度作用スペクトルの存在は、所与の細胞又は細胞分画物又は外因性発色団に一般的であり、異なる波長最大限度の照射により異なる結果が生じうる。
【００５７】
［００７１］波長帯域が広すぎる場合、所望の光変調効果が意図したものから変わる場合がある。その結果、広帯域の非コヒーレントな強い光源は、複数の狭帯域エミッタの使用とは対照的に、本発明に使用するために特定されるものと比較して望ましくない。レーザダイオードはまた、支配的帯域の周りに狭帯域を有する多色性のものであり、即ち、狭帯域多色デバイス−  支配的波長の周りで対称に又は非対称に狭い放射帯域の電磁波を放射するデバイスである。一実施形態では、狭帯域多色電磁放射エミッタは、支配的波長の周り＋／−約１００ナノメートルの帯域の電磁放射を放射する。一実施形態では、狭帯域多色電磁放射エミッタは、支配的波長の周り＋／−約５０ナノメートルの帯域の電磁放射を放射する。一実施形態では、狭帯域多色電磁放射エミッタは、支配的波長の周り＋／−約２０ナノメートルの帯域の電磁放射を放射する。一実施形態では、狭帯域多色電磁放射エミッタは、支配的波長の周り＋／−約１０ナノメートルの帯域の電磁放射を放射する。一実施形態では、狭帯域多色電磁放射エミッタは、支配的波長の周り＋／−約６．５ナノメートルの帯域の電磁放射を放射する。ＬＥＤは、単色でなく、狭帯域多色エミッタと考えられるような狭帯域で発光する。狭帯域は、やや異なる波長の光子の放射を可能にする。これは、特定の望ましい多光子相互作用を生むために有利である可能性がある。対照的に、多くの市販のレーザは、光の単一波長において発光し、多色と考えられる。従来技術によるレーザの使用は、それらの電磁放射のコヒーレントな、即ち、単色の性質に依存している。
【００５８】
［００７２］波長は組織浸透深さも決定する。所望の波長が標的細胞、組織又は器官に到達することが重要である。無傷の肌の場合の組織浸透深さは、潰瘍化した肌又は日焼けした肌の場合とは異なり、更には擦過傷を有する肌又は酵素的に剥がれた肌、又は角質層の少なくとも一部が任意の方法により除去された肌とは異なる。これと同じ波長で吸収するどのような干渉発色団にも浸透することが重要である（例えば黒い異国風の肌、組織又は細胞培養物のためのプラスチックのペトリ皿など）。この経路内にあるどのような組織又は器官にも浸透することが重要である。
【００５９】
［００７３］例えば、下層又はもっと深い層の皮層のケアが望ましい場合、約４００ｎｍから約４２０ｎｍの範囲の支配的波長放射を有する光は、放射の浸透の深さが限定されているためにすべての脂腺又はにきび胞が効果的にケアされえないような短い波長を有し、約６００ｎｍから約６６０ｎｍの波長を有する光は、更に深くまでもっと容易に浸透することができる。したがって、放射線エミッタの支配的波長も、望ましいケアの深さに依存する。適切な波長の選択は、本発明の効果的な使用のための重要なパラメータの一つであるが、他のパラメータも重要である。
【００６０】
［００７４］エネルギー密度：エネルギー密度は、照射の間に送達されるエネルギーの量に対応し、エネルギー強度及び光強度とも呼ばれる。最適な「用量」は、パルス継続時間及び波長によって影響される−したがって、これらは相互に関連しており、パルス継続時間は極めて重要である−一般に、高エネルギーは抑制を、低エネルギーは刺激を生む。
【００６１】
［００７５］パルス継続時間−照射のための露出時間は、極めて重要であり、所望の効果及び標的細胞、細胞分画物、外因性発色団組織又は器官により変化する（例えば０．５マイクロ秒から１０分がヒト繊維芽細胞に効果的でありうるが、それよりも長い又は短い時間も成功裏に使用されうる）。
【００６２】
［００７６］持続波（ＣＷ）対パルス：例えば最適なパルス継続時間はこれらパラメータにより影響される。一般に、エネルギー要件は、持続（ＣＷ）モードと比較してパルスモードが使用される場合に異なる。通常、パルスモードは特定のケアレジメンにとって好ましく、ＣＷモードは他のレジメンにとって好ましい。
【００６３】
［００７７］周波数（パルスの場合）：例えば高周波数は抑制的である傾向があり、低周波数は刺激的である傾向があるが、例外もありうる。
【００６４】
［００７８］デューディーサイクル：これは、照射が周期的間隔で繰り返されるデバイスの光出力反復サイクルであり、本明細書では中間パルス遅延とも呼ばれる（ケアのセッションが一連のパルスを含むときのパルス間の時間）。
【００６５】
［００７９］本発明によるアプリケータチップ２０により肌に適用される局所用組成物に使用される適切な活性剤には、ビタミンＣ、ビタミンＥ、ビタミンＤ、ビタミンＡ、ビタミンＫ、ビタミンＦ、Ｒｅｔｉｎ  Ａ（トレチノイン）、アダパレン、レチノール、ハイドロキノン、麹酸、増殖因子、エキナセア、抗生物質、抗菌類、抗ウイルス、漂白剤、アルファヒドロキシ酸、ベータヒドロキシ酸、サリチル酸、抗酸化トライアド化合物、海藻派生物、塩水誘導体、藻類、抗酸化剤、フィトアントシアニン、植物栄養素、プランクトン、植物生成物、草本生成物、ホルモン、酵素、鉱物、遺伝子組み換え物質、コファクター、触媒、アンチエイジング物質、インスリン、微量元素（イオン性カルシウム、マグネシウムなどを含む）、ミネラル、Ｒｏｇａｉｎｅ、発毛刺激物質、発毛抑制物質、染料、天然又は合成メラニン、メタロプロテイナーゼ阻害剤、プロリン、ヒドロキシプロリン、麻酔物質、クロロフィル、バクテリオクロロフィル、銅クロロフィリン、葉緑体、カロテノイド、フィコビリン、ロドプシン、アントシアニン、及び標的の肌構造又は装置のいずれかの成分に向かって方向付けられた派生物、副次成分、免疫複合体及び抗体、及び上記アイテムの天然及び合成両方のアナログ、並びにこれらの組み合わせのうちの一又は複数が含まれる。
【００６６】
［００８０］アプリケータチップにより肌に適用される局所用組成物の更なる非限定的例には、抗しわ組成物（例えば、ＰＲＯ−ＸＹＬＡＮＥＴＭなど）、抗くま組成物（例えば、ＨＡＬＯＸＹＬＴＭなど）、又は抗腫脹組成物（例えば、ＦＲＩＭＡＬＩＦＴＴＭなど）が含まれる。
【００６７】
［００８１］アプリケータチップにより肌に適用される局所用組成物に使用される活性剤の更なる非限定的例には、キシロース、ヒドロキシプロピルテトラヒドロピラントリオールなどが含まれる。
【００６８】
［００８２］アプリケータチップにより肌に適用される局所用組成物に使用される活性剤の更なる非限定的例には、カプリロイルサリチル酸、アデノシン、アデノシン三リン酸、レチノールリノレートなどが含まれる。
【００６９】
［００８３］一実施形態では、アプリケータアセンブリは、周期的機械力をユーザの肌表面領域に印加し、アクリレート／Ｃ１０−３０アルキルアクリレートクロスポリマー、アデノシン、アルコール、アルギニン、ＢＨＴ、ＢＩＳ−ＰＥＧ−１８メチルエーテルジメチルシラン、ブチレングリコール、カフェイン、カプリロイルサリチル酸、カプリリルグリコール、カルボマー、ヤグルマギクの水、クロルヘキシジンジグルコネート、クリシン、クエン酸、ココベタディン（Ｃｏｃｏ−Ｂｅｔａｄｉｎｅ）、シクロヘキサシロキサン、ジメチコン、ジソジウムエチレンジアミン４酢酸（ＥＤＴＡ）、グリセリン、水素付加レシチン、ヒドロキシプロピルテトラヒドロピラントリオール、ラウロイルリシン、メチルグルセス−２０、Ｎ−ヒドロキシスクシンイミド、オクチルドデカノール、パルミトイルオリゴペプチド、パルミトイルテトラペプチド−７、ポリエチレングリコール（ＰＥＧ）−２０、ペンチレングリコール、フェノキシエタノール、ポリシリコーン−１１、ソルビン酸カリウム、プロパンジオール、プロピレングリコール、水酸化ナトリウム、スクワラン、ステアレス−２０、トコフェリルアセテート、水、ザンサンガム、酵母エキスなどのうちの一又は複数を含む肌用調剤を送達するように構成されたアプリケータチップを含む。
【００７０】
［００８４］一実施例では、デバイスは、約５９０ｎｍ（＋／−約１０ｎｍ）の支配的放射波長を有する狭帯域多色電磁放射を発し、更には８５０〜８７０ｎｍの範囲のいくらかの光と、任意選択的に、１０６０ｎｍの範囲の少量の光を放射する。可視光５９０と赤外光８５０〜８７０ｎｍの組み合わせが生物活性であることが発見された。標的の肌又は組織が曝される放射のＩＲ成分を低減することは、ＩＲ／８５０曲線の形状を非対称に減衰すると考えられているので、このために、特別なＩＲフィルターを加えてもよい。８５０〜８７０ｎｍにおいて、繊維芽細胞に「用量依存性」の効果があると考えられる。更に、約１ｍＷ／ｃｍ２の電力レベルにおいて、アンチエイジング表現型効果に光調節が起こる（当業者であれば、電力計ではこれを正確に測定することができないために、測定方法により若干の変動／誤差があることを認識するであろう）。通常、熱損傷を生じさせないケアが望ましい場合、約４Ｊ／ｃｍ２（＋／−０．５Ｊ／ｃｍ２）未満のエネルギーフルエンスが好ましい。
【００７１】
［００８５］ケアに使用される放射中のＩＲ放射に対する黄色光の比が、本システムの性能全体に影響することが判明した。具体的には、モノクロメータ及び単一波長ＬＥＤを用いた試験により、及びその後比ＤＮＡマイクロアレイの研究を用いて、黄色光とＩＲ光の一の特定の配合率が、しわに対して極めて有効であると決定された。各種の放射の相対量が重要であり、実際の放射レベルより重要であると考えられる（但し、アブレーションが起こらない場合）。５９０ｎｍの場合約２．０ｍＷ／ｃｍ２（＋／−約０．５ｍＷ／ｃｍ２）、及び８５０〜８７０ｎｍの場合約０．５ｍＷ／ｃｍ２（＋／−約０．５ｍＷ／ｃｍ２）（即ち、黄色：ＩＲが４：１の比）が、良好な結果を生むことが見出された。考慮すべき別の要因は、システムのＩＲ成分の、振幅対波長曲線の形状である。
【００７２】
［００８６］図７は、ハウジング１２中に照明ユニットを取り付ける方法を示している。図７Ａに示すように、アプリケータチップ２０の近傍にスロット又は穴を造る。図７Ｂ及び７Ｃに示すように、スロットの中にＬＥＤアセンブリ１００を取り付ける。図７Ｄに示すように、ＬＥＤアセンブリ１００の配線１０４を、駆動回路及び電源に経路付ける。これについて後述する。
【００７３】
［００８７］図８は、ＬＥＤアセンブリ１００と共に使用されるハードウエアコンポーネントのブロック図を示している。ＬＥＤアセンブリのＬＥＤは、ＬＥＤドライバ基板８２０により駆動され、この基板は電源８１０から電力を受け取る。電源は、上述のバッテリ３２と同じでも異なってもよい。加えて、ＬＥＤドライバ８２０は、上述のマイクロプロセッサ３４の一部として含まれるか、又は独立した構成要素とすることができる。図８はまた、ＬＥＤドライバ８２０が、ＬＥＤユニットのオンオフをトグルするためのユーザからの入力を受け取る光オンオフ制御ユニットに接続することができることを示している。
【００７４】
［００８８］図９Ａは、ＬＥＤアセンブリが、各々が円錐形ビームの光を放射する赤外ＬＥＤユニット１１０及び黄色ＬＥＤユニット１１２を含むことを示している。ＬＥＤユニットは、当業者には既知であるように、市販されている標準のＬＥＤとすることができる。例えば、ＬＥＤは、ＬＹ  Ｇ６ＳＰ−ＣＡＤＢ−３６−１−Ｚのタイプ（５９０ｎｍの波長を提供）及びＶＳＭＦ４７２０のタイプ（８７０ｎｍの波長を提供）とすることができる。
【００７５】
［００８９］図９Ｂは、ＬＥＤ１１０及び１１２が４ｍｍだけ離間しており、ＬＥＤがアプリケータチップから１１．２ｍｍだけ離間していることを示している。ＬＥＤが８０度の円錐角で光を放射するように構成されているとき、これにより、アプリケータチップからのチップ閉塞なく、７７％の光強度が生成される。
【００７６】
［００９０］図１０は、特定領域の光曝露を拡散させる又は広げるためにＬＥＤユニットと共に使用されるレンズ１０１０を更に含む一実施形態を示す。レンズ１０１０は、所望の発光を達成するために正又は負の焦点距離特性を有することができ、限定しないが、ガラス、プラスチック、又は樹脂といった材料のうちの任意の数から作製することができる。一実施例では、ＬＥＤユニットの外側に配置されるアクリル材料を使用して、そのような拡散レンズを達成することができる。
【００７７】
［００９１］従来の光線療法システムでは、肌表面に対する光放射のためにパルス方式が使用される。「コード」は、様々なケアレジメンのためのパルス方式を指す。これには、パルス長、中間パルス遅延、及びパルス反復といった様々な要因が含まれる。例えばケアは、２５０ｍｓｅｃの「オン」時間、１００ｍｓｅｃの「オフ」時間（即ち暗期）、及び１００のパルスのパルスコードを含むことができる。これにより、エミッタの電力出力レベル×２５秒の全エネルギーフルエンス（Ｊ／ｃｍ２）が生成される。これにより、パルスケアと持続波ケアの比較が可能となる（持続波ケアの「コード」は、１パルス、選択されるケアの長さである「オン」時間、及び０秒の「オフ」時間である）。
【００７８】
［００９２］本実施形態は、図１１の右側に示されるように、ユーザの肌表面上への３Ｈｚのパルス波のパルス波ケアの使用を可能にする。これは、図１１の左側に示されるように、自然な動きのみでは１Ｈｚのパルスの効果が生成されるため、単離された肌領域上にデバイスの動きがないと想定することにより達成される。しかしながら、特許請求される本発明は、３Ｈｚパルスのケアに限定されず、必要に応じてもっと小さなパルス又は大きなパルスのものでありうる。
【００７９】
［００９３］上述の実施形態の一変形例では、一又は複数のＬＥＤアセンブリ１００（ＬＥＤユニット１１０及び１１２を含みうる）は、図１２Ａ及び１２Ｂに示されるように、アプリケータチップ２０を囲むように設けられる。上述のレンズ１０１０には、任意選択的に、放射される光を集束又は拡散させるための各ＬＥＤアセンブリ１００を具備することができる。
【００８０】
［００９４］別の変形例では、ＬＥＤアセンブリ１００は、図１３Ａ及び１３Ｂに示されるように、それ自体の内部にアプリケータチップを具備しうる。上述のレンズ１０１０は、任意選択的に、放射される光を集束又は拡散させるためのＬＥＤアセンブリ１００を具備することができる。
【００８１】
［００９５］図１４は、上述のアプリケータ装置１０によって実施される方法を示す。工程１４１０では、アプリケータチップアセンブリ２０は、上述のアプリケータチップの周期的運動により、ユーザの肌表面に肌用調剤を接触させ、送達する方法を実施する。同時に、工程１４２０では、光アセンブリ１００は、上述の特定光の発光により、ユーザの肌表面に光のパルスを放射する方法を実施する。これら二つの方法は、別個のオンオフスイッチにより別々の時間に開始及び終了させることができるか、又は同じオンオフスイッチ（例えば図８に示すオンオフスイッチ）により同時に開始及び終了させることができる。
【００８２】
［００９６］上記教示の観点から、本発明の多数の修正例及び変形例が可能である。したがって、特許請求の範囲内において、特許請求される発明は、本明細書に具体的に記載さているもの以外の方法でも実施されうる。
また、本願は以下に記載する態様を含む。
（態様１）
ユーザの皮膚表面領域に周期的機械力を印加し、ユーザの肌表面領域に肌用調剤を送達するように構成されたアプリケータチップを含むアプリケータアセンブリ；及び
前記アプリケータアセンブリに隣接する又は前記アプリケータアセンブリ内部の少なくとも一の電磁エネルギー源を含み、ユーザの肌の表面領域内の一又は複数の皮層に浸透するために十分な性質及び継続時間を有する電磁エネルギー刺激のパルスを送達するように構成された電磁エネルギーアセンブリ
を備える装置。
（態様２）
前記少なくとも一の電磁エネルギー源が、前記アプリケータアセンブリの外縁に隣接している、態様１に記載の装置。
（態様３）
前記少なくとも一の電磁エネルギー源が、複数の発光ダイオードを備え、少なくとも、約５９０ナノメートルのピーク放射波長を有する第１の連続的電磁エネルギー刺激と、約８５０ナノメートルから約８７０ナノメートルの範囲のピーク放射波長を有する第２の連続的電磁エネルギー刺激とを、同時に又は連続して生成するように構成されている、態様１に記載の装置。
（態様４）
前記少なくとも一の電磁エネルギー源が、狭帯域多色放射を介して単一の支配的放射波長を生成するように構成されている、態様１に記載の装置。
（態様５）
前記単一の支配的放射波長が約５９０ナノメートルである、態様４に記載の装置。
（態様６）
前記少なくとも一の電磁エネルギー源が、少なくとも一の発光ダイオード（ＬＥＤ）を含む、態様１に記載の装置。
（態様７）
前記少なくとも一の発光ダイオード（ＬＥＤ）が、約５９０ナノメートルの支配的放射波長で発光する第１のＬＥＤと、約８５０〜８７０ナノメートルで発光する第２のＬＥＤとを含む、態様６に記載の装置。
（態様８）
前記第１の発光ダイオード（ＬＥＤ）は黄色の可視光を放射し、前記第２のＬＥＤは赤外光を放射する、態様７に記載の装置。
（態様９）
前記第１の発光ダイオード（ＬＥＤ）：前記第２のＬＥＤの電力放射の比が４：１である、態様８に記載の装置。
（態様１０）
前記第１の発光ダイオード（ＬＥＤ）は１平方センチメートル当たり約２ミリワット（ｍＷ／ｃｍ２）で発光し、前記第２のＬＥＤは約０．５ｍＷ／ｃｍ２で発光する、態様９に記載の装置。
（態様１１）
前記肌表面領域において受け取られる前記電磁エネルギーアセンブリのエネルギーフルエンスが約４Ｊ／ｃｍ２未満である、態様１に記載の装置。
（態様１２）
前記電磁エネルギーアセンブリが更に、前記電磁エネルギーアセンブリから前記肌の上に発光された光を拡散させて、照射領域を広げるように構成された拡散レンズを含む、態様１に記載の装置。
（態様１３）
前記少なくとも一の電磁エネルギー源が、前記アプリケータアセンブリを囲む複数の電磁エネルギー源を含む、態様１に記載の装置。
（態様１４）
前記少なくとも一の電磁エネルギー源が、前記アプリケータアセンブリ内部に含まれている、態様１に記載の装置。
（態様１５）
前記少なくとも一の電磁エネルギー源が、前記ユーザの肌表面領域に約３Ｈｚの周波数で光のパルスを放射する、態様１に記載の装置。
（態様１６）
スキンケア装置によって実施されるスキンケア方法であって、
ユーザの肌の一領域に圧縮力を生じさせ、肌用調剤の浸透性に影響を及ぼすために十分な性質及び継続時間を有する周期的機械力をユーザの肌表面領域に印加すること；及び
ユーザの前記肌領域内の一又は複数の皮層に浸透するために十分な性質及び継続時間を有する電磁エネルギー刺激のパルスを用いて前記ユーザの肌領域を照射すること
を含む方法。
（態様１７）
ユーザの前記肌領域に圧縮力を生じさせ、肌用調剤の浸透性に影響を及ぼすために十分な性質及び継続時間を有する前記周期的機械力をユーザの前記肌領域に印加することが、前記肌領域に実質的に垂直な振動力を印加することを含む、態様１６に記載のスキンケア方法。
（態様１８）
ユーザの前記肌領域に圧縮力を生じさせ、肌用調剤の浸透性に影響を及ぼすために十分な性質及び継続時間を有する前記周期的機械力をユーザの前記肌領域に印加することが、前記肌領域の表面に実質的に垂直な運動の振幅が約０．０１インチから約０．０７５インチの範囲である、実質的に垂直な機械力を印加することを含む、態様１６に記載のスキンケア方法。
（態様１９）
ユーザの前記肌領域内の少なくとも一の又は複数の皮層に浸透するために十分な性質及び継続時間を有する電磁エネルギー刺激のパルスを用いて前記ユーザの前記肌領域を照射することが、少なくとも、約５９０ナノメートルのピーク放射波長を有する第１のパルス電磁エネルギー刺激と、約８５０ナノメートルから約８７０ナノメートルの範囲のピーク放射波長を有する第２のパルス電磁エネルギー刺激とを、同時に又は連続して放射することを含む、態様１６に記載のスキンケア方法。
（態様２０）
ユーザの前記肌領域内の少なくとも一の又は複数の皮層に浸透するために十分な性質及び継続時間を有する電磁エネルギー刺激のパルスを用いて前記ユーザの前記肌領域を照射することが、前記肌領域内の一又は複数の皮層に浸透し、肌領域内の一又は複数の表皮関連タンパク質、真皮表皮接合部関連タンパク質、又は真皮関連タンパク質の上方制御に影響を及ぼすために十分な性質及び継続時間を有する電磁エネルギー刺激のパルスを送達することを含む、態様１６に記載のスキンケア方法。
（態様２１）
ユーザの前記肌領域内の少なくとも一の又は複数の皮層に浸透するために十分な性質及び継続時間を有する電磁エネルギー刺激のパルスを用いて前記ユーザの前記肌領域を照射することが、一又は複数の皮層に浸透し、前記一又は複数の皮層内において一又は複数の活性剤を活性化させるために十分な性質及び継続時間を有する電磁エネルギー刺激のパルスを送達することを含む、態様１７に記載のスキンケア方法。
（態様２２）
ユーザの前記肌領域内の少なくとも一の又は複数の皮層に浸透するために十分な性質及び継続時間を有する電磁エネルギー刺激のパルスを用いて前記ユーザの前記肌領域を照射することが、少なくとも、１平方センチメートル当たり約２ミリワット（ｍＷ／ｃｍ２）のピーク放射照度を有する第１の連続的電磁照射刺激と、約０．５ｍＷ／ｃｍ２のピーク放射照度を有する第２の連続的電磁照射刺激とを、同時に又は連続して放射することを含む、態様１６に記載のスキンケア方法。
態様を含む。 
【図１】
0006735762.tif 000002
【図２】
0006735762.tif 000003
【図３】
0006735762.tif 000004
【図４】
0006735762.tif 000005
【図５】
0006735762.tif 000006
【図６】
0006735762.tif 000007
【図７】
0006735762.tif 000008
【図８】
0006735762.tif 000009
【図９】
0006735762.tif 000010
【図１０】
0006735762.tif 000011
【図１１】
0006735762.tif 000012
【図１２】
0006735762.tif 000013
【図１３】
0006735762.tif 000014
【図１４】
0006735762.tif 000015